(57)【要約】【解決手段】携帯装置上に光学読取りモジュールおよび認識モジュールを設けて、メモリする方法は、前記の携帯装置上の走査キーを押すことで走査機能を起動させるステップと、前記の携帯装置上の光学世も取りモジュールで映像をつまみ取って走査を行うステップと、走査の停止後に一つの認識モジュールを利用して、前記の映像のフォーマット転換操作並びに一つの所定の応用プログラムの駆動で、前記の映像が含まれた情報に対してエディットされたデータをディスプレイに表示させるステップと、ディスプレイ上に表示した情報のメモリが行ったか否かを確認するステップとを包括された携帯装置上における電話帳の短縮メモリの方法と装置を提供する。【効果】本発明の携帯装置上における電話帳の短縮メモリの方法と装置は、電話帳のデータプログラムを手動キーインを回避することにより、短縮かつ便利な電話帳データのメモリができる利点を有する。【選択図】　なし【特許請求の範囲】
【請求項１】
主要は携帯装置上に光学読取りモジュールと認識モジュールとが設けられた携帯装置上における電話帳の短縮メモリの方法であって、
走査機能を起動するステップと、
前記の携帯装置上の光学読取りモジュールの利用で映像をつまみとって、走査を進行するステップと、走査停止後に一つの認識モジュールの利用で前記の映像のフォーマット転換操作を行い、並びに一つ指定の応用プログラムの駆動で前記の映像が含む情報に対してエディットを行うステップと、エディットのデータをディスプレイ上に表示、ディスプレイ上に表示されたデータのメモリ進行であるか否かを確認するステップとを包括した携帯装置上における電話帳の短縮メモリの方法。
【請求項２】
前記の携帯装置上に別の一つの走査キーを設けて、前記の走査機能又は前記の走査状態の進行を起動することを特徴とする請求項１に記載の方法。
【請求項３】
前記の携帯装置がオープンの場合、走査キーを押すことで前記の走査機能を起動することを特徴とする請求項２に記載の方法。
【請求項４】
前記の走査状態を起動した際、前記の走査キーを押しつけることで以て前記の走査状態を進行することを特徴とする請求項３に記載の方法。
【請求項５】
前記の走査状態を進行の際、前記の走査キーをはなすことで前記の走査状態を停止することを特徴とする請求項４に記載の方法。
【請求項６】
前記の走査状態を停止した際、前記の走査キーを押しつけることで前記の走査状態を行うことを特徴とする請求項５に記載の方法。
【請求項７】
前記の走査ステップの起動の前に、前記携帯装置の電話帳にはまだメモリする空間が有るか否かを検査し、前記の走査起動ステップの進行であるか否かを決定することを特徴とする請求項１に記載の方法。
【請求項８】
前記のメモリ進行確認ステップは前記の携帯装置の機能キーで行うことを特徴とする請求項１に記載の方法。
【請求項９】
一つの文字又はネームカードの走査に用いる走査モジュールと、一つのキーボード上で走査モジュールの起動に用いる押しキーと、一つの認識モジュール、映像のフォーマット転換に用いられるとともに一つ指定応用プログラムを駆動して、前記の映像が含む情報に対してエディットを行い且つディスプレイに表示するのを包括し、これにより、携帯装置の電話帳の短縮メモリを進行する携帯装置上における電話帳の短縮メモリの装置。
【請求項１０】
前記の押しキーは、押す、押しつけるとはなす３種類の状態に設定できることを特徴とする請求項９に記載の装置
【請求項１１】
前記の走査キーを押す状態の下で、前記の携帯装置の走査進行状態の中にあって、前記の走査キーをはなした状態の下では、前記の携帯装置がーつの走査停止状態の中の特徴とする請求項１０に記載の装置。
【発明の詳細な説明】
【０００１】
【発明の背景】
科学技術の進歩に伴い、多種類の携帯装置が世間に発表されている。そして使用の便利性に従って、これら多くの携帯装置には電話帳の機能を設けてユーザの短縮問い合わせおよび利用の機能を提供している。ただし一般に電話帳の機能を具える携帯装置は、電話帳のデータを新たに増設する場合、キーボードを通して英語入力および漢文入力方法を含む各種類の入力方法を介して、手動方式で以て新たに増設するデータをキーインする必要があった。このような電話帳の新たな増設方式は時間を費やすばかりでなく、かつキーイン時にてキーイン番号の設定が容易に混雑するとともに容易に困難を引き起こす。
【０００２】
本発明者は現在ある携帯装置の不便と欠点に鑑みて、携帯装置に対して広範囲の研究を行ない、それで本発明を完成したものである。
【０００３】
【発明の概略叙述】
本発明の目的の一つは、携帯装置上における電話帳の短縮メモリの方法と装置を提供するもので、付設の走査機の利用でワード又は映像を走査後、映像転換処理を経てさらに前記携帯装置の電話帳の中へメモリする。そのため短縮かつ簡易の電話帳メモリを完成するものである。
【０００４】
本発明の他の目的は、光学走査モジュールの走査および光学認識モジュールの映像フォーマット転換の利用で、データ入力の精密性を向上する携帯装置上における電話帳の短縮メモリの方法と装置を提供する。
【０００５】
【発明の実施の形態】
本発明は携帯装置における電話帳の短縮メモリの方法に係り、以下のステップを包括する。前記の携帯装置上の走査キーを起動することで走査機能を起動するステップ、前記の携帯装置上の光学読取りモジュールの利用で映像をつまみ取るステップ、一つの認識モジュールの利用で前記映像のフォーマット転換操作を行い、並びに一指定の応用プログラムの駆動で前記の映像に包括する情報に対しエディットを行うステップ、エディットのデータをディスプレイ上に表示するステップ、およびディスプレイ上に表示された情報の入力データに誤りが無い上確認した後メモリを行うステップ。詳しく言えば、本発明は携帯装置上における電話帳の短縮メモリの方法に係り、前記の携帯装置上に走査キーを押し走査の機能を起動と、前記の携帯装置上の光学読取りモジュールを利用して映像をつまみ取ると、携帯装置のメモリおよびＣＰＵと光学認識モジュールとを経て前記映像のフォーマット転換操作を行い、並びに一指定の応用プログラムの駆動で前記映像が含む情報に対してエディットの進行と、エディットされたデータをディスプレイ上に表示と、ディスプレイに表示された情報を介して入力データに誤りが無いと確認した後メモリの進行とを包括する。
【０００６】
本発明は又携帯装置上における電話帳の短縮メモリの装置に係り、一つの文字又はネームカードの走査に使われる一つの走査モジュールと、キーボード上において走査モジュールの起動に使用される一つの走査キーと、映像のフォーマット転換の進行並びに一つの指定応用プログラムで、前記の映像に含まれた情報に対してエディットの進行かつディスプレイに表示し、これにより携帯装置における電話帳の短縮メモリを行うこととを包括する。
【０００７】
本発明の携帯装置上における電話帳の短縮メモリの装置中において、前記の走査キーが押す、押えつける、はなすの三種類の状態に設定される。
本発明の携帯装置上における電話帳の短縮メモリの装置中において、前記の走査キーを押す状態においては、前記の携帯装置が一つの走査起動状態中にあり、前記の走査キーが押えつける状態では、前記の携帯電話が一つの走査進行状態の中にあって、前記の走査キーがはなす状態では、前記携帯電話が一つの走査停止状態の中にある。
【０００８】
本発明中でいう“携帯装置”とは、例えば携帯電話、ＰＤＡ（Ｐｏｃｋｅｔ　ｄｉｇｉｔａｌ　　ａｓｓｉｓｔａｎｔ）等の通信装置およびポケットコンピュータ辞典、電子腕時計等の電話帳の機能を具える装置を包括する。
本発明を図面を参考しながらさら詳しく説明する。ただし前記の具体的な実施例は本発明の説明に用いられて、本発明の範囲を制限するものではない。本技芸を熟知した者は本発明のこれらの掲示から、本発明の精神および範囲下を違反離れなければ、その他の修飾、改良および変化ができる。
【０００９】
第１図ご参照の下で本発明の携帯装置上における電話帳の短縮メモリの方法と装置について説明する。先ず、携帯装置をオープンにした状態で、キーボード３上の走査キー４を押すとともにユーザのインタフェース応用プログラム１６を会して、信号をＣＰＵ１４に伝送する、その後駆動走査モジュール１２が走査物件１１に対して走査の進行を開始することで、走査後の映像をメモリ１３に記憶し、次にＣＰＵ１４に伝送するとともに、光学ワードを介して認識モジュール１５で映像のフォーマット転換を行い、並びに一つ指定応用プログラム１６を駆動し、前記映像が含む情報に対してエディットを進行させる。さらにＣＰＵ１４及びユーザのインタフェース応用プログラムを通じて携帯装置のディスプレイ５上に表示する。
【００１０】
第２乃至第６図のフローシートご参照、これは本発明の好ましい実施例の携帯装置上における電話帳の短縮メモリの方法を進行するフローシート。第２図に示すように、携帯装置がオープン状態の場合（そのディスプレイ画面第６（ａ）図に示す通り、ステップ２１）、ユーザが走査キーを押す（Ｓｃａｎｋｅｙ　　ｐｒｅｓｓ）（そのディスプレイ画面は第６（ｂ）図に示す通り、ステップ２２）、そして走査起動機能を選択した後、携帯装置は電話帳がまだメモリする空間が有るか否かを表示する（ステップ２３）、そして、走査起動状態を選択するか否かを表示し（ステップ２４）、若しイェスの場合走査状態に起動する（ステップ２５）、若し否の場合には携帯装置のオープン状態に戻る（ステップ２１）、若し携帯装置の表示にメモリくうかんが無い場合には、携帯装置が先に古いデータを削除してから始めて新たに増設できる画面を表示する（第６（ｃ）図に示す通り、ステップ２６）、携帯装置がオープン状態に戻る（ステップ２１）。
【００１１】
そして第２図のフローシートが走査起動状態まで進行した（ステップ２５）場合には、第３図に示すように、先ず走査起動状態、新たに増設する電話帳画面を（第６（ｄ）図に示す通り、ステップ３１）表示、ユーザは走査キーを押えつける（ステップ３２）と走査状態の進行を開始する（ステップ３３）。
次に第４図に示すように、走査状態（ステップ３３）を開始した後、光学読取りモジュールが望む走査データの読取りを開始する（ステップ４１）、そのすぐ後に走査で得られた映像をワード認識モジュール（ステップ４２）に伝送させ（ステップ４２）、フォーマット転換させた後のデータを形態装置のディスプレイ上に表示する（第６（ｆ）図に示す通り、ステップ４３）、走査後に走査キーをはなせば（ステップ４４）走査状態を停止させる（ステップ４５）、若し継続的に走査キーを押しつけると、継続的に望む走査データを読取る（ステップ４１）とともに繰り返し走査の手順を進行する。
【００１２】
さらに第５図のフローシートに示すように、走査状態停止（ステップ４５）後、ユーザが再度走査キーを押しつけると（ステップ５１）、ディスプレイのカーソルが次のフィールドに移行し（第６（ｇ）図に示す通り、ステップ５２）、並びに走査状態を進行する（ステップ５３）、若し走査状態を停止（ステップ４５）した後、ユーザが走査キーを押しつけていない場合、携帯装置は走査した新たに増設するデータをメモリするか否かを表示する（ステップ５４）、若しＹｅｓの場合これらのデータを携帯装置の電話帳中にメモリする（第６（ｈ）図に示す通り、ステップ５５）、そしてすぐに携帯装置のオープン状態に戻る（ステップ２１）、その選択が走査した新たな増設データをメモリしない場合には、携帯装置がこれらデータのメモリしない確定のあるか否かを現わす（第６（ｉ）図に示す通り）、若しこのデータをメモリしないと確定した場合、携帯装置が走査状態から離れるか否かを現わす（Ｅｘｉｔｋｅｙ）（ステップ５６）、若しイェスの場合には携帯装置がオープン状態に戻る（ステップ２１）、若し否であれば、携帯装置が走査後の走査停止状態に戻る（ステップ４５）。
【００１３】
本発明の携帯装置上における電話帳の短縮メモリの方法はすえに第１〜第６図に示すフローシートを介して詳細に説明した。ただし具体的な例はだた本発明の説明に用いられ、本発明の範囲を制限するものではない。
上述の説明は、本発明の携帯装置上における電話帳の短縮メモリの方法に使用される装置が第７図に示すように携帯装置１上に一つの光学読取りモジュールを設置し、および入力キーボード３上に一つの走査キー４と一つのディスプレイ表示５を設置している。
【００１４】
さらに第８図に示すように、本発明の携帯装置上における電話帳の短縮メモリの装置中において、前記の携帯装置がオープン状態にある時、若し走査キーを押すと（ステップ８２）、前記の携帯装置が一つの走査起動状態にある。その走査起動状態にある場合、前記の走査キーを押しつけると（ステップ８３）前記の携帯装置が一つの走査進行状態の中にある、走査進行状態にある場合は走査キーをはなすと（ステップ８４）、前記の携帯装置が一つの走査停止状態の中にある、そして走査停止状態の場合に走査キーを押しつけると（ステップ８５）、前記の携帯装置が走査進行状態へ戻る、走査停止状態の場合にメモリ又は削除キーを押せば（ステップ８１）、前記の携帯装置が走査停止状態中にある。
【００１５】
本発明の携帯装置上における電話帳の短縮メモリの装置が使用される携帯装置は、設置される前記の光学読取りモジュール、走査キーおよびディスプレイは皆本技芸を熟知した周知の技術で、ここでは再び重複しない。
これに依り、本発明の携帯装置上における電話帳の短縮メモリの方法と装置は、電話帳データの手動キーインの手順が免除されることにより、短縮かつ便利な電話帳データのメモリができる利点があり、産業上の利用性および進歩性を具えている。
【図面の簡単な説明】
【図１】第１図は、本発明による一実施例の携帯装置上における電話帳の短縮メモリ装置の具体的な回路ブロック図である。
【図２】第２図は、本発明による携帯装置上における電話帳の短縮メモリの方法で起動走査前の携帯装置のフローシートである。
【図３】第３図は、本発明による一実施例の携帯装置上における電話帳の短縮メモリの方法の具体的な起動から走査を行うまでのフローシートである。
【図４】第４図は、本発明による一実施例の携帯装置上における電話帳の短縮メモリの方法の具体的な進行から停止までの走査フローシートである。
【図５】第５図は、本発明による一実施例の本発明携帯装置上における電話帳の短縮メモリ方法の具体的一つの連続走査フローシートである。
【図６】第６図は、本発明の携帯装置上における電話帳の短縮メモリ方法を進行するとき、携帯装置のディスプレイ上に表示可能の画面説明図である。その中、第６（ａ）図は携帯装置のオープン状態を表示；第６（ｂ）図はユーザが走査キーを押し並びに起動走査機能を選択した状態を表示；第６（ｃ）図は携帯電話の電話帳がすでにフールの情報を表示；第６（ｅ）図はユーザが走査キーを押してユーザのデータ読取り状態を表示；第６（ｆ）図はユーザが走査キーをはなした状態を表示；第６（ｇ）図はユーザが再度走査キーを押して次のフィールドデータを読取る状態を表示；第６（ｈ）図はユーザがメモリキーを押して新たな増設データをメモリする状態を表示；および第６（ｉ）図はユーザがはなれるキーを押して新たに増設されたデータを取り消す動作の状態を表示している。
【図７】第７図は、本発明の携帯装置上における電話帳の短縮メモリの装置概略図である。
【図８】第８図は、本発明のキーイン走査の説明図である。
【符号の説明】
１　携帯装置
２　光学読取りモジュール
３　キーボード
４　走査キー
５　表示ディスプレイ
【図１】
2004032660.tif 000002
【図２】
2004032660.tif 000003
【図３】
2004032660.tif 000004
【図４】
2004032660.tif 000005
【図５】
2004032660.tif 000006
【図６】
2004032660.tif 000007
【図７】
2004032660.tif 000008
【図８】
2004032660.tif 000009